(57)【要約】  本発明はアップリンクサウンディング参照信号（ＳＲＳ）の配置方法を開示している。基地局がセルの使用可能なＳＲＳ配置周期を決定し、決定されたＳＲＳ配置周期の上で、サブフレームにおけるセルの使用可能なＳＲＳ配置位置を決定し、基地局が決定されたＳＲＳ配置周期とＳＲＳ配置位置とを統合符号化し、統合符号化の結果を放送シグナリングを介してセル内の全てのユーザ機器に通知することを含む。また、本発明はＳＲＳの配置装置を開示している。本発明の解決手段によれば、ＳＲＳの伝送配置を実現することができ、ＳＲＳとアップリンク制御情報との衝突問題を解決することができる。
2011520343.tif 000002
【特許請求の範囲】
【請求項１】
アップリンクサウンディング参照信号（ＳＲＳ）の配置方法であって、
基地局がセルの使用可能なＳＲＳ配置周期を決定し、決定されたＳＲＳ配置周期の上で、セルの使用可能なＳＲＳ配置位置を決定し、
基地局が決定されたＳＲＳ配置周期とＳＲＳ配置位置とを統合符号化し、統合符号化の結果を放送シグナリングを介してセル内の全てのユーザ機器に通知する、
ことを含むことを特徴とする方法。
【請求項２】
前記基地局がセルの使用可能なＳＲＳ配置周期を決定することは、
基地局が、本セルのサービスモデルを含む特徴に基づいて、前記セルにおけるアップリンク、ダウンリンクスケジューリング、ダウンリンクビームフォーミングを含む操作の行いがＳＲＳに対するニーズを決定し、前記ニーズに基づいて、本セルの中でＳＲＳに対するニーズが一番多いユーザをもとにし、セル内のほかのユーザのＳＲＳに対するニーズを満たすように、セルの使用可能なＳＲＳ周期を配置すること、
を含むことを特徴とする請求項１に記載の方法。
【請求項３】
前記基地局がセルの使用可能なＳＲＳ配置周期を決定する前に、
基地局の使用可能な最大ＳＲＳ周期を配置することと、
１つの周期内においてセルがＳＲＳシンボル位置を配置する可能性の最大値を配置することと、
のいずれか１つまたはこれらの任意の組み合わせを含むことを特徴とする請求項１に記載の方法。
【請求項４】
当該方法が時分割複信（ＴＤＤ）システムで応用される場合、前記基地局が決定されたＳＲＳ配置周期の上で、セルの使用可能なＳＲＳ配置位置を決定することは、
基地局がＳＲＳ配置周期ニーズを満たす前提で、ＳＲＳを優先的にアップリンクパイロットタイムスロット（ＵｐＰＴＳ）に配置すること、
を含むことを特徴とする請求項１に記載の方法。
【請求項５】
前記ＳＲＳ配置位置情報が、アップリンクサブフレームにＳＲＳの情報があるかどうかは含むが、ＵｐＰＴＳにおける具体的なＳＲＳシンボル数の情報は含まないことを特徴とする請求項４に記載の方法。
【請求項６】
当該方法は、基地局に配置番号と、ＳＲＳ配置周期と、ＳＲＳ配置位置との対応関係表を予め設定することをさらに含み、
前記基地局が決定されたＳＲＳ配置周期とＳＲＳ配置位置とを統合符号化し、統合符号化の結果を放送シグナリングを介してセル内の全てのユーザ機器に通知することは、基地局が決定されたＳＲＳ配置周期およびＳＲＳ配置位置に基づいて、前記対応関係表を検索して相応の配置番号を得、前記配置番号の２値符号を放送シグナリングに付けてセル内の各ユーザ機器に送信すること、
を含むことを特徴とする請求項１〜５のいずれか１項に記載の方法。
【請求項７】
前記決定されたＳＲＳ配置周期の上で、セルの使用可能なＳＲＳ配置位置を決定することは、
隣接セルのＳＲＳ配置周期が同じである場合、基地局が、前記対応関係表において前記ＳＲＳ配置周期に対応するＳＲＳが異なる位置を持つ配置方式を選択してそれぞれ隣接セルに配置すること、
を含むことを特徴とする請求項６に記載の方法。
【請求項８】
前記基地局が決定されたＳＲＳ配置周期とＳＲＳ配置位置とを統合符号化し、統合符号化の結果を放送シグナリングを介してセル内の全てのユーザ機器に通知した後に、
基地局がユーザのＳＲＳ配置周期およびＳＲＳ送信位置を決定して、当該ユーザのＳＲＳ送信周期と位置との統合符号化の指示項をユーザ専用シグナリングを介してユーザ機器に通知すること、
をさらに含むことを特徴とする請求項１〜５のいずれか１項に記載の方法。
【請求項９】
アップリンクサウンディング参照信号（ＳＲＳ）の配置方法であって、
基地局がユーザのＳＲＳ配置周期およびＳＲＳ送信位置を決定し、
基地局が当該ユーザのＳＲＳ配置周期と送信位置との統合符号化の指示項をユーザ専用シグナリングを介してユーザ機器に通知すること、
を含むことを特徴とする方法。
【請求項１０】
当該方法がＴＤＤシステムに適用され、前記基地局がユーザのＳＲＳ送信位置を決定することは、基地局がＵｐＰＴＳにおいてＳＲＳを送信する具体的な配置方式を決定することを含み、前記具体的な配置方式は、
ＵｐＰＴＳの一番目のシンボルのみでＳＲＳを送信することと、
ＵｐＰＴＳの二番目のシンボルのみでＳＲＳを送信することと、
同一の送信アンテナでＵｐＰＴＳの２つのシンボルでＳＲＳを同時に送信することと、
異なる送信アンテナでＵｐＰＴＳの２つのシンボルでＳＲＳを交替に送信することと、のいずれか１つである、
ことを特徴とする請求項９に記載の方法。
【請求項１１】
前記基地局が当該ユーザのＳＲＳ配置周期と位置との統合符号化の指示項をユーザ専用シグナリングを介してユーザ機器に通知することは、
基地局が当該ユーザのＳＲＳ送信周期と位置とを統合符号化し、ユーザ専用シグナリングを用いて前記統合符号化結果をユーザ機器に通知し、表示フォーマットを用いて当該ユーザがアップリンクパイロットタイムスロット（ＵｐＰＴＳ）においてＳＲＳを送信する配置方式を指示すること、
または、基地局が当該ユーザのＳＲＳ送信周期と、位置と、当該ユーザがＵｐＰＴＳにおいてＳＲＳを送信する具体的な配置方式との三者を統合符号化し、符号化結果をユーザ専用シグナリングを介してユーザ機器に通知すること、
を含むことを特徴とする請求項１０に記載の方法。
【請求項１２】
アップリンクサウンディング参照信号（ＳＲＳ）の配置装置であって、
セルの使用可能なＳＲＳ配置周期を決定するセルＳＲＳ周期配置モジュールと、
前記セルＳＲＳ周期配置モジュールで決定されたＳＲＳ配置周期の上で、サブフレームにおけるセルの使用可能なＳＲＳ配置位置を決定するセルＳＲＳ位置配置モジュールと、
前記セルＳＲＳ周期配置モジュールで決定されたＳＲＳ配置周期と前記セルＳＲＳ位置配置モジュールで決定されたＳＲＳ配置位置とを統合符号化する統合符号化モジュールと、
前記統合符号化モジュールの統合符号化結果を放送シグナリングを介して送信する放送シグナリング送信モジュールと、
を含むことを特徴とする装置。
【請求項１３】
前記統合符号化モジュールは、
配置番号と、ＳＲＳ配置周期と、ＳＲＳ配置位置との対応関係表を保存する配置表ユニットと、
前記決定されたＳＲＳ配置周期およびＳＲＳ配置位置に基づいて、前記対応関係表を検索して相応の配置番号を得る検索ユニットと、
を含むことを特徴とする請求項１２に記載の装置。
【請求項１４】
アップリンクサウンディング参照信号（ＳＲＳ）の配置装置であって、
セル内の特定のユーザのＳＲＳ送信周期を決定するユーザＳＲＳ周期配置モジュールと、
前記ユーザＳＲＳ周期配置モジュールで決定されたＳＲＳ配置周期の上で、ユーザのＳＲＳ送信の配置位置を決定するユーザＳＲＳ位置配置モジュールと、
前記ユーザＳＲＳ周期配置モジュールで決定されたユーザのＳＲＳ送信周期と前記ユーザＳＲＳ位置配置モジュールで決定されたユーザのＳＲＳ送信位置とを統合符号化する統合符号化モジュールと、
前記統合符号化モジュールの統合符号化結果をユーザ専用シグナリングを介して前記ユーザに送信するユーザ専用シグナリング送信モジュールと、
を含むことを特徴とする装置。
【請求項１５】
前記ユーザＳＲＳ位置配置モジュールは、
アップリンクパイロットタイムスロット（ＵｐＰＴＳ）においてＳＲＳを送信する具体的な配置方式を設定する保護タイムスロット配置ユニットをさらに含むことを特徴とする請求項１４に記載の装置。
【請求項１６】
前記統合符号化モジュールは、前記ユーザのＳＲＳ送信周期と位置とを統合符号化し、ここで、表示のユーザ専用シグナリングを用いてアップリンクパイロットタイムスロット（ＵｐＰＴＳ）において当該ユーザのＳＲＳ送信の配置方式を指示し、
または、統合符号化モジュールは、前記ユーザのＳＲＳ送信周期と、位置と、当該ユーザがＵｐＰＴＳにおいてＳＲＳを送信する具体的な配置方式との三者を統合符号化することを特徴とする請求項１５に記載の装置。
【請求項１７】
アップリンクサウンディング参照信号（ＳＲＳ）の配置装置であって、
セルの使用可能なＳＲＳ配置周期、およびセル内の特定のユーザのＳＲＳ送信周期を決定するＳＲＳ周期配置モジュールと、
前記ＳＲＳ周期配置モジュールで決定されたＳＲＳ配置周期の上で、セルの使用可能なＳＲＳ配置位置を決定し、そして、前記ＳＲＳ周期配置モジュールで決定されたユーザのＳＲＳ送信周期の上で、ユーザのＳＲＳ送信の配置位置を決定するＳＲＳ位置配置モジュールと、
前記ＳＲＳ周期配置モジュールで決定されたセルのＳＲＳ配置周期と前記ＳＲＳ位置配置モジュールで決定されたセルのＳＲＳ配置位置とを統合符号化し、そして、前記ＳＲＳ周期配置モジュールで決定されたユーザのＳＲＳ送信周期と前記ＳＲＳ位置配置モジュールで決定されたユーザのＳＲＳ送信位置とを統合符号化する統合符号化モジュールと、
前記統合符号化モジュールのセルのＳＲＳ配置周期とセルのＳＲＳ配置位置との統合符号化結果を放送シグナリングを介して送信し、そして、前記統合符号化モジュールのユーザのＳＲＳ送信周期とユーザのＳＲＳ送信の配置位置との統合符号化結果をユーザ専用シグナリングを介して前記ユーザに送信するシグナリング送信モジュールと、
を含むことを特徴とする装置。
【発明の詳細な説明】
【技術分野】
【０００１】
本発明は無線通信技術分野に関し、特に、アップリンクサウンディング参照信号の配置方法および装置に関する。
【背景技術】
【０００２】
アップリンクサウンディング参照信号（ＳＲＳ：Ｓｏｕｎｄｉｎｇ  Ｒｅｆｅｒｅｎｃｅ  ｓｉｇｎａｌｓ）はユーザ機器（ＵＥ：Ｕｓｅｒ  Ｅｑｕｉｐｍｅｎｔ）から基地局へ送信されるアップリンク信号であり、基地局では受信されたＳＲＳに基づいてアップリンクチャネル品質を測定するようになる。
【０００３】
ＳＲＳ送信について、従来では、周波数分割複信（ＦＤＤ：Ｆｒｅｑｕｅｎｃｙ  Ｄｉｖｉｓｉｏｎ  Ｄｕｐｌｅｘ）システムおよび時分割複信（ＴＤＤ：Ｔｉｍｅ  Ｄｉｖｉｓｉｏｎ  Ｄｕｐｌｅｘ）システムに対して、ＵＥが２ｍｓ、５ｍｓ、１０ｍｓ、２０ｍｓ、４０ｍｓ、８０ｍｓ、１６０ｍｓ、３２０ｍｓの合計８種類の送信周期を支持するように配置されることができる。ＴＤＤシステムにおいて、ＳＲＳはアップリンクパイロットタイムスロット（ＵｐＰＴＳ）で送信されることができる。ＵｐＰＴＳの長さが１つのシングルキャリア周波数分割多重接続（ＳＣ−ＦＤＭＡ：Ｓｉｎｇｌｅ  Ｃａｒｒｉｅｒ−  Ｆｒｅｑｕｅｎｃｙ  Ｄｉｖｉｓｉｏｎ  Ｍｕｌｔｉｐｌｅ  Ａｃｃｅｓｓ）シンボルである場合、当該１つのＳＣ−ＦＤＭＡシンボルをＳＲＳ伝送に用い、ＵｐＰＴＳの長さが２つのＳＣ−ＦＤＭＡシンボルである場合、２つのＳＣ−ＦＤＭＡシンボルを全部ＳＲＳ伝送に用いるように基地局により配置することができる。ＵｐＰＴＳにおいて、ＳＲＳはアップリンク帯域幅全体で送信されることができる。ＵｐＰＴＳでアップリンクデータおよび制御シグナリングを伝送しないため、ＵｐＰＴＳにおいてＳＲＳは物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、物理アップリンク制御チャネル（ＰＵＣＣＨ：Ｐｈｙｓｉｃａｌ  Ｕｐｌｉｎｋ  Ｓｈａｒｅｄ  Ｃｈａｎｎｅｌ）などと衝突しない。通常のアップリンクサブフレームに配置される場合、ＳＲＳは通常アップリンクサブフレームの最後のシンボルで送信されるようになる。この場合、全てのＵＥにより、ＰＵＳＣＨを当該通常サブフレームで送信する際に最後のシンボルを除去する必要がある。
【０００４】
アップリンク通常サブフレームで送信される場合、ＳＲＳはアップリンク制御情報と衝突するようになる。具体的に、アップリンク通常サブフレームにおいて、ＳＲＳはＰＵＣＣＨ周波数帯でを送信されることができない。ＵＥがアップリンクサブフレームでＳＲＳと応答メッセージ（ＡＣＫ／ＮＡＣＫ）を同時に送信する必要がある場合、クリッピングフォーマットでＡＣＫ／ＮＡＣＫを送信するか、または今度のＳＲＳ送信を放棄する。ＵＥが当該サブフレームでチャネル品質情報（ＣＱＩ：Ｃｈａｎｎｅｌ  Ｑｕａｌｉｔｙ  Ｉｎｄｉｃａｔｏｒ）とＳＲＳを同時に送信する必要がある場合、今度のＳＲＳ送信を放棄する。ＵＥが当該サブフレームでスケジュール要求（ＳＲ：Ｓｃｈｅｄｕｌｅ  Ｒｅｑｕｅｓｔ）とＳＲＳを同時に送信する必要がある場合、今度のＳＲＳ送信を放棄する。
【０００５】
従来技術では、システムが如何にＳＲＳ伝送を配置するかの具体的な方案を提供していないため、正常のＳＲＳ伝送を行うことができない。
【発明の概要】
【発明が解決しようとする課題】
【０００６】
本発明は上記に鑑みてなされたものであって、如何にＳＲＳ伝送を配置するかの具体的な解決方案を提供するアップリンクサウンディング参照信号の配置方法および装置を提出することを目的とする。
【課題を解決するための手段】
【０００７】
本発明の実施例に係るＳＲＳの配置方法であって、
基地局がセルの使用可能なＳＲＳ配置周期を決定し、決定されたＳＲＳ配置周期の上で、セルの使用可能なＳＲＳ配置位置を決定し、
基地局が決定されたＳＲＳ配置周期とＳＲＳ配置位置とを統合符号化し、統合符号化の結果を放送シグナリングを介してセル内の全てのユーザ機器に通知することを、含む。
【０００８】
本発明の実施例に係る別のＳＲＳの配置方法であって、
基地局がユーザのＳＲＳ配置周期およびＳＲＳ送信位置を決定し、
基地局が当該ユーザのＳＲＳ配置周期と送信位置との統合符号化の指示項をユーザ専用シグナリングを介してユーザ機器に通知すること、を含む。
【０００９】
本発明の実施例に係るＳＲＳの配置装置であって、
セルの使用可能なＳＲＳ配置周期を決定するセルＳＲＳ周期配置モジュールと、
前記セルＳＲＳ周期配置モジュールで決定されたＳＲＳ配置周期の上で、サブフレームにおけるセルの使用可能なＳＲＳ配置位置を決定するセルＳＲＳ位置配置モジュールと、
前記セルＳＲＳ周期配置モジュールで決定されたＳＲＳ配置周期と前記セルＳＲＳ位置配置モジュールで決定されたＳＲＳ配置位置とを統合符号化する統合符号化モジュールと、
前記統合符号化モジュールの統合符号化結果を放送シグナリングを介して送信する放送シグナリング送信モジュールと、を含む。
【００１０】
本発明の実施例に係る別のＳＲＳの配置装置であって、
セル内の特定のユーザのＳＲＳ送信周期を決定するユーザＳＲＳ周期配置モジュールと、
前記ユーザＳＲＳ周期配置モジュールで決定されたＳＲＳ配置周期の上で、ユーザのＳＲＳ送信の配置位置を決定するユーザＳＲＳ位置配置モジュールと、
前記ユーザＳＲＳ周期配置モジュールで決定されたユーザのＳＲＳ送信周期と前記ユーザＳＲＳ位置配置モジュールで決定されたユーザのＳＲＳ送信位置とを統合符号化する統合符号化モジュールと、
前記統合符号化モジュールの統合符号化結果をユーザ専用シグナリングを介して前記ユーザに送信するユーザ専用シグナリング送信モジュールと、を含む。
【００１１】
また、本発明の実施例に係るＳＲＳの配置装置であって、
セルの使用可能なＳＲＳ配置周期、およびセル内の特定のユーザのＳＲＳ送信周期を決定するＳＲＳ周期配置モジュールと、
前記ＳＲＳ周期配置モジュールで決定されたＳＲＳ配置周期の上で、セルの使用可能なＳＲＳ配置位置を決定し、そして、前記ＳＲＳ周期配置モジュールで決定されたユーザのＳＲＳ送信周期の上で、ユーザのＳＲＳ送信の配置位置を決定するＳＲＳ位置配置モジュールと、
前記ＳＲＳ周期配置モジュールで決定されたセルのＳＲＳ配置周期と前記ＳＲＳ位置配置モジュールで決定されたセルのＳＲＳ配置位置とを統合符号化し、そして、前記ＳＲＳ周期配置モジュールで決定されたユーザのＳＲＳ送信周期と前記ＳＲＳ位置配置モジュールで決定されたユーザのＳＲＳ送信位置とを統合符号化する統合符号化モジュールと、
前記統合符号化モジュールのセルのＳＲＳ配置周期とセルのＳＲＳ配置位置との統合符号化結果を放送シグナリングを介して送信し、そして、前記統合符号化モジュールのユーザのＳＲＳ送信周期とユーザのＳＲＳ送信の配置位置との統合符号化結果をユーザ専用シグナリングを介して前記ユーザに送信するシグナリング送信モジュールと、を含む。
【発明の効果】
【００１２】
上記の解決手段からわかるように、基地局によりセルのＳＲＳ配置周期およびサブフレームにおけるＳＲＳ配置位置を決定して、統合符号化方式で放送シグナリングを介してセル内の各ＵＥに通知する。または、基地局によりセル内ユーザのＳＲＳ配置周期およびサブフレームにおけるＳＲＳ配置位置を決定して、統合符号化方式でユーザ専用シグナリングを介してＵＥに通知する。これにより、ＳＲＳ伝送の配置を実現することができ、ＳＲＳとアップリンク制御情報との衝突問題を解決することができる。
【図面の簡単な説明】
【００１３】
【図１】本発明の実施例１に係る放送シグナリングの配置フローチャートである。
【図２】本発明の実施例２に係るユーザ専用シグナリングの配置フローチャートである。
【図３】本発明の実施例３に係るアップリンクサウンディング参照信号を配置するための装置のモジュールを示す図である。
【図４】本発明の実施例４に係るアップリンクサウンディング参照信号を配置するための装置のモジュールを示す図である。
【図５】本発明の実施例５のアップリンクサウンディング参照信号を配置するための装置のモジュールを示す図である。
【発明を実施するための形態】
【００１４】
本発明の解決方案は、時間領域で如何にＳＲＳ伝送を配置するかを提供し、具体的に放送シグナリングの配置とユーザ専用シグナリングの配置との２つの部分に関する必要がある。本発明の解決方案はＦＤＤおよびＴＤＤシステムに適用できる。
【００１５】
本発明の目的、解決方案とメリットを更に明確にするために、以下、具体的な実施例を参照して本発明をさらに詳しく説明する。
【００１６】
本発明の実施例１は放送シグナリングの配置方案である。上記のように、ＦＤＤおよびＴＤＤシステムにおいて、ＳＲＳは通常アップリンクサブフレームで送信される際に、いずれもＰＵＳＣＨまたはＰＵＣＣＨと衝突が存在する。そのため、セル内の全てのＵＥは当該セル内のどれらのアップリンクサブフレームにＳＲＳ伝送が配置されているかを知る必要があり、これにより当該サブフレームでＰＵＳＣＨとＰＵＣＣＨを送信する必要がありＳＲＳ伝送と衝突する場合に、必要な方法を採用して当該衝突を解決することができる。前記必要な方法として、シンボルの除去、クリッピングＰＵＣＣＨフォーマットの採用、又はＳＲＳ送信の放棄などであってよい。従って、放送シグナリングの役割は、基地局がどれらの通常アップリンクサブクレームにＳＲＳ伝送を配置したかをＵＥに通知することである。
【００１７】
異なるユーザのＳＲＳ周期（２ｍｓ、５ｍｓ、１０ｍｓ、２０ｍｓ、４０ｍｓ、８０ｍｓ、１６０ｍｓ、３２０ｍｓを含む）を柔軟に支持できるために、基地局はＳＲＳサブフレーム位置の配置を相応的に行う必要があり、従って、ＳＲＳの配置周期はセル内の各種類のユーザのＳＲＳ周期の公約数であるべきであり、通常、最大公約数を取ることができる。例えば、事業者が当該セルに２ｍｓのＳＲＳ周期を支持できるユーザがあることを望む場合、基地局のＳＲＳサブフレーム配置は少なくとも２ｍｓごとに１つのＳＲＳを配置するようにする必要がある。また、例えば、本セルで一部のユーザのＳＲＳ周期が２ｍｓであり、また一部のユーザのＳＲＳ周期が５ｍｓであることを同時に支持する必要がある場合、２種類のユーザを同時に支持するために、セルの周期を１ｍｓに配置する必要がある。セルユーザのＳＲＳ周期に対するニーズの変化に伴い、セルのＳＲＳ周期は上記の原則に応じて再配置を行うことができる。
【００１８】
また、ＳＲＳによる隣接セル間の干渉を低減するために、隣接セルのＳＲＳシンボルはなるべく異なるアップリンクサブフレームに配置されるべきであり、つまり、隣接セルのＳＲＳ付けアップリンクサブフレームは時間領域で互いにずれるべきである。
【００１９】
放送シグナリングは、ＳＲＳシンボルの配置可能な周期およびＳＲＳシンボルの位置するサブフレームの位置を指示し、最大程度の柔軟性を支持することを考慮すると、以下のような要素を考慮する必要がある。
【００２０】
ＳＲＳシンボルの配置周期および位置をそれぞれ指示すること。例えば、ＵＥが支持するＳＲＳ送信周期の数をＮ（周期はそれぞれＸ１，Ｘ２，…ＸＮである）とすると、Ｍ  ｂｉｔｓを用いてＳＲＳシンボル配置のＮ種類の周期を指示し、
【００２１】
【数１】
2011520343.tif 000003
【００２２】
であり、ここで、記号
【００２３】
【数２】
2011520343.tif 000004
【００２４】
は切り上げを表す。Ｌ  ｂｉｔｓを用いて周期ＸＮのＳＲＳシンボル配置位置の全ての可能性を指示し、
【００２５】
【数３】
2011520343.tif 000005
【００２６】
である。すると、合計Ｍ＋Ｌ  ｂｉｔｓの放送シグナリング指示を必要となる。
【００２７】
例えば、Ｎは８であり、全ての周期は２ｍｓ、５ｍｓ、１０ｍｓ、２０ｍｓ、４０ｍｓ、８０ｍｓ、１６０ｍｓ、３２０ｍｓである場合、上記の数式からＭ＝３、Ｌ＝９を得ることができ、ＳＲＳ配置周期およびシンボル位置を統合符号化して指示する。
【００２８】
ＳＲＳ配置周期およびシンボル位置を統合符号化して指示すること。ＵＥが支持するＳＲＳ送信周期の数をＮ（周期はそれぞれＸ１，Ｘ２，…ＸＮである）とすると、合計
【００２９】
【数４】
2011520343.tif 000006
【００３０】
の放送シグナリング統合指示を必要となる。
【００３１】
例えば、Ｎは８であり、全ての周期は２ｍｓ、５ｍｓ、１０ｍｓ、２０ｍｓ、４０ｍｓ、８０ｍｓ、１６０ｍｓ、３２０ｍｓである場合、Ｋ＝１０である。
【００３２】
セルの放送チャネルリソースが相対的に制限されるため、放送シグナリングオーバーヘッドを低減させることは意義のあることである。ＳＲＳ配置周期およびＳＲＳシンボル位置の２つの角度から配置減少の選択肢を考慮できるとともに、以下のような原則を満たすべきである。
【００３３】
ａ、セル内の異なるＵＥのＳＲＳ周期を柔軟に支持すること、
ｂ、セル間ＳＲＳシンボル位置が時間領域でずらすことを支持し、セル間干渉を低減すること、
ｃ、ＴＤＤシステムにとってＳＲＳをＵｐＰＴＳで送信する場合、ＰＵＳＣＨおよびＰＵＣＣＨとの衝突問題を生じないため、ＵｐＰＴＳリソースを十分に利用してＳＲＳを送信して、システム性能を向上させることが可能になる。
【００３４】
本発明の実施例１は放送シグナリングオーバーヘッドを減少する目的から、以下のような解決手段を採用する。
【００３５】
（１）基地局で配置するＳＲＳの最大周期を制限、例えば、４０ｍｓに制限するとともに、ＳＲＳの配置でより大きな柔軟性を有するために、１ｍｓ、２ｍｓ、５ｍｓ、１０ｍｓ、２０ｍｓ、４０ｍｓおよび無ＳＲＳの配置の７種類の異なる周期を支持することを考慮する。
【００３６】
（２）１つのセルの１つの周期内におけるＳＲＳシンボル位置の配置柔軟性を制限し、例えば、ＳＲＳシンボル位置の配置可能性を７に制限し、即ち、７つの隣接セルのＳＲＳを互いに異なるシンボル位置に配置すればよい。
【００３７】
（３）シグナリングオーバーヘッドをさらに減少するために、セルのＳＲＳ配置周期とＳＲＳシンボル位置との２つの部分の情報を統合符号化することを考慮し、即ち、シグナリング指示項にこの２つの部分の情報が同時に含まれる。
【００３８】
以上の設計原則に基づいて、以下、ＦＤＤシステムとＴＤＤシステムのそれぞれに基づく実施例を提供する。
【００３９】
方案１、長さ５ｂｉｔｓの放送シグナリング指示、即ち、ＳＲＳの配置方案を３２種類以内に制限する。ここで、ＦＤＤシステムに適用する放送シグナリング指示は表１に示すようであり、ＴＤＤシステムに適用する放送シグナリングは表２に示すように、最大７つの隣接セルのＳＲＳシンボル位置が互いに異なるように支持できる。
【００４０】
より精細なＳＲＳ配置密度レベル（ＦＤＤ表における項目２９、３０およびＴＤＤ表における項目２８、２９、３０）を支持する。
【００４１】
以下、表に対して説明する。
周期はセルのＳＲＳ配置周期を表し、単位はｍｓである。ＳＲＳの配置サブフレーム番号は現在のセルでＳＲＳが配置された無線フレーム番号（ＳＦＮ）とサブフレーム位置を表す。詳細の配置方式は、ＳＲＳ伝送が配置された無線フレーム内においてＳＲＳシンボルの位置する具体的なサブフレーム位置を提供し、「１」はＳＲＳありを表し、「０」はＳＲＳなしを表す。「０（ＳＦＮ％２＝０）」は無線フレーム番号（ＳＦＮ）がモジュロ２で余り０の場合、ＳＲＳの配置サブフレーム番号が０であることを表す。「８つのＳＲＳ／１０ｍｓ」は１０ｍｓ長さ内に８つのＳＲＳを配置することを表す。
【００４２】
【表１】
2011520343.tif 000007
【００４３】
【表２】
2011520343.tif 000008
【００４４】
方案２、放送シグナリングオーバーヘッドをさらに減少し、配置方法を１６種類以内に制限する。４ｂｉｔｓ放送シグナリング指示を採用し、ＦＤＤシステムに対応するものは表３に示すようであり、ＴＤＤシステムに対応するものは表４に示すように、同時に最大３つの隣接セルのＳＲＳシンボル位置が互いに異なるように支持できる。
【００４５】
【表３】
2011520343.tif 000009
【００４６】
【表４】
2011520343.tif 000010
【００４７】
本発明の実施例１に係る放送シグナリングの配置フローはＴＤＤシステムを例とし、具体的に図１に示すように、以下のようなステップを含む。
【００４８】
ステップ１０１で、基地局は本セルの使用可能なＳＲＳ配置周期を決定し、この決定はネットワークを構築するときに行われることができる。具体的に、基地局は本セルのサービスモデルなどの特徴に基づいて、当該セルでアップリンク、ダウンリンクスケジューリング、ダウンリンクビームフォーミングなどの操作を行うことがＳＲＳに対するニーズを決定する。前記ニーズに基づいて、本セルの中でＳＲＳに対するニーズが一番多いユーザをもとにして配置を行うとともに、セル内のほかのユーザのＳＲＳに対するニーズを満たすべきである。例えば、本セルでユーザのＳＲＳを支持するのに必要な最小周期が１０ｍｓである場合、セルのＳＲＳを１０ｍｓの周期に配置する必要がある。また、例えば、本セルで一部のユーザのＳＲＳ周期が２ｍｓであり、また一部のユーザの周期が５ｍｓであることを同時に支持する必要がある場合、２種類のユーザを同時に支持するために、セルの周期を１ｍｓに配置する必要がある。セルユーザのＳＲＳ周期に対するニーズの変化に伴い、セルのＳＲＳ周期は上記の原則に応じて再配置を行うことができる。
【００４９】
ステップ１０２で、基地局は本セルの使用可能なＳＲＳ配置位置を決定する。ＴＤＤシステムにとって、基地局はＳＲＳ配置周期のニーズを満たす前提で、ＳＲＳを優先的にＵｐＰＴＳに配置する。各種類のセルＳＲＳ周期配置で、基地局はサブフレームにおける本セルのＳＲＳ配置位置をさらに決定する必要があり、やり方の１つは、異なるセルのＳＲＳをそれぞれサブフレームの異なる位置に配置する。基地局に表２又は表４に示すようなＳＲＳ配置表を予め配置する。前記ＳＲＳ配置位置情報は、アップリンクサブフレームにＳＲＳの情報があるかどうかは含むが、ＵｐＰＴＳにおける具体的なＳＲＳシンボル数の情報は含まない。
【００５０】
例えば、ステップ１０１で決定されたＳＲＳの配置周期が５ｍｓである場合、表４における５ｍｓ周期の３つの可能な配置に対して、隣接セルに異なる配置を選択し、例えば、基地局は自局のセル番号に基づいてモジュロ３の操作を行い、どの配置を採用するかを決定する。もちろん、表２に示すような配置表を採用するようにしてもよく、この場合５ｍｓの周期に対して４つの可能な配置がある。普通、隣接セルのセル番号は連続するものであり、従って隣接セルのＳＲＳ配置位置が互いにずらして、セル間干渉を低減する役割を果たすことができる。
【００５１】
ステップ１０３で、基地局はＳＲＳ配置周期と配置位置とを統合符号化し、統合符号化して得られた指示項を放送シグナリング（ＳＩＢ）を介してセル内の全てのＵＥに通知する。その具体的なやり方は、決定されたＳＲＳ配置周期およびＳＲＳ配置位置に基づいて、表４で相応の配置番号を検索して得、４ｂｉｔｓの符号で当該得された配置番号を表してから、放送シグナリングを用いて当該配置番号の符号を搭載する。表２に示す配置表を採用する場合、５ｂｉｔｓの符号で配置番号を表す。
【００５２】
ステップ１０４で、セル内のＵＥは放送シグナリングを介して当該セル内のＳＲＳ配置を知るようになり、アップリンクデータ又は制御シグナリングを送信するとき、相応の方式で処理し、例えば、シンボルを除去すること又はクリッピングフォーマットで送信し、これによりアップリンクデータおよび制御シグナリングとＳＲＳ間の衝突を避ける。
【００５３】
本発明の実施例２はユーザ専用シグナリングの設計方案である。
実施例１に記載されたように、放送シグナリングによってはセル内の全てのＵＥに本セルのＳＲＳシンボルの時間領域上の配置方式が通知される。具体的なあるユーザにとって、どんな周期でどれらのシンボル位置でＳＲＳを送信すべきかは、基地局によりスケジューリングして決定される必要があり、当該スケジューリングの決定は基地局によりユーザ専用シグナリングを介してＵＥに通知される。
【００５４】
本発明の実施例２に係るユーザ専用シグナリングの設計について、以下のような原則を考慮すべきである。
【００５５】
ａ、異なるＳＲＳ周期を柔軟に支持すること、
ｂ、各種類のＳＲＳ周期配置で、あるＵＥのＳＲＳ送信はセルで放送される全てのＳＲＳシンボル位置内の任意の位置に配置できること、
ｃ、シグナリングオーバーヘッドを減少するためには、ユーザのＳＲＳ周期とＳＲＳシンボル位置とを統合符号化して指示する。
以上の設計原則に基づいて、以下、ＦＤＤシステムとＴＤＤシステムのそれぞれに基づく設計方案を提供する。
【００５６】
ＦＤＤシステムにとって、
ＵＥが支持するＳＲＳ周期が、２ｍｓ、５ｍｓ、１０ｍｓ、２０ｍｓ、４０ｍｓ、８０ｍｓ、１６０ｍｓ、３２０ｍｓの合計８種類を含むため、シグナリングオーバーヘッドの節約を考慮して、８種類の周期と各周期内のＳＲＳシンボル位置指示を統合符号化する。合計２＋５＋１０＋２０＋４０＋８０＋１６０＋３２０＝６３７種類の状態が必要となり、１０ｂｉｔｓで指示できる。
【００５７】
例えば、ここで、３２０は、あるユーザが３２０ｍｓ周期に配置され、そのＳＲＳ送信が周期内の任意のシンボル位置で送信されることができ、即ち３２０種類の可能性があることを表す。ほかの周期も同じである。
【００５８】
ＴＤＤシステムにとって、ＵｐＰＴＳでＳＲＳを送信する最大柔軟性を支持するために、ＵＥは以下のいずれかを採用することができる。
【００５９】
ＵｐＰＴＳの一番目のシンボルのみでＳＲＳを送信、
ＵｐＰＴＳの二番目のシンボルのみでＳＲＳを送信、
ＵｐＰＴＳの２つのシンボルで同時にＳＲＳを送信（同一の送信アンテナ）、
ＵｐＰＴＳの２つのシンボルで同時にＳＲＳを送信（異なる送信アンテナが交替）。
【００６０】
方案１、単独に２ｂｉｔｓの表示フォーマットによって、ＵＥがＵｐＰＴＳでＳＲＳを送信する４種類の可能な配置を指示し、当該２ｂｉｔｓはＵＥがＵｐＰＴＳでＳＲＳを送信する場合のみに対するものであり、ＵＥのＳＲＳ周期と開始位置が合計２＋４＋８＋１６＋３２＋６４＋１２８＋２５６＝５１０種類の状態があるため、合計２＋９＝１１ｂｉｔｓのユーザ専用シグナリング指示が必要となる。ここで、９ｂｉｔｓは通常アップリンクタイムスロットでＳＲＳを送信する配置方式およびＳＲＳの配置周期（表１に示すように、ＴＤＤの使用可能なアップリンクサブフレームがＦＤＤより少ないため、ここでＵＥが各種類の周期内でＳＲＳのシンボルを送信可能な位置の選択もＦＤＤより少ない）を表す。
【００６１】
方案２、ＵｐＰＴＳでＳＲＳを送信する４種類の配置およびＳＲＳ周期と開始位置とを統合符号化し、８＋７＋１４＋２８＋５６＋１１２＋２２４＋４４８＝８９７種類の状態が必要となり、１０ｂｉｔｓで指示できる。
【００６２】
本発明の実施例２のユーザ専用シグナリング配置フローは図２に示すように、以下のようなステップを含む。
【００６３】
ステップ２０１で、基地局はあるユーザのＳＲＳ配置周期を決定する。当該決定はユーザサービス類型、移動速度、およびＳＲＳの用途（アップリンクスケジューリング、ダウンリンクスケジューリング、ダウンリンクビームフォーミング）などに基づいて行われることができる。当該周期が小さいほど、スケジューリングの正確性が高い。
【００６４】
ステップ２０２で、基地局はあるユーザのＳＲＳ送信位置を決定する。当該決定はユーザスケジューリングの正確性（ユーザのＳＲＳ送信とアップリンクデータおよび／またはダウンリンクデータ送信との間の時間間隔が短いほど、スケジューリングの正確性が高い）、セル内のユーザ間のＳＲＳ多重などに基づいて、本セルに配置されたＳＲＳ周期内の全ての可能な位置の中で当該ユーザのためにある位置を選択することである。
【００６５】
特に、ＵｐＰＴＳでＳＲＳを送信するユーザに対して、基地局は当該ユーザがＵｐＰＴＳの具体的どのシンボルでＳＲＳを送信するかを決定することができ、そして、ある特殊なユーザに対しては特別な限定要求がある可能性がある。例えば、送信電力制限ユーザに対して、基地局は当該ユーザがＵｐＰＴＳにおいて連続の２つのシンボルを使用してＳＲＳを送信するようにスケジューリングしてよい。ＳＲＳの高速アンテナ切替を行うことが必要なユーザに対して、基地局は当該ユーザがＵｐＰＴＳにおける２つのシンボルで異なる送信アンテナを使用してＳＲＳを送信するようにスケジューリングしてもよい。
【００６６】
ステップ２０３で、基地局は当該ユーザのＳＲＳ送信周期と位置とを統合符号化した指示項をＵＥに通知する。
【００６７】
特に、ＴＤＤシステムに対して、上記の方法１の配置方式を採用する場合、基地局は、当該ユーザがＵｐＰＴＳにおいてＳＲＳを送信する具体的な配置状況を２ｂｉｔｓの表示ユーザ専用シグナリングを介して単独に指示することができる。上記の方法２の配置方式を採用する場合に、基地局は、当該ユーザがＵｐＰＴＳにおいてＳＲＳを送信する具体的な配置状況と当該ユーザのＳＲＳ送信周期と送信位置との３つの情報の統合符号化の指示項をＵＥに通知することもできる。
【００６８】
ステップ２０４で、ＵＥは専用のシグナリング情報を受信することで、所定位置で所定周期に従ってＳＲＳ送信を開始する。ＴＤＤにとっては、当該ユーザがＵｐＰＴＳにおいてＳＲＳを送信する必要がある場合に、単独のユーザ専用シグナリング指示又は他の情報との統合符号化のシグナリング情報に基づいてＵｐＰＴＳにおいてＳＲＳを送信する具体的な方式を決定する。
【００６９】
実際の応用では、基地局がまず放送シグナリングを介してセル内の全てのユーザに使用可能なＳＲＳ配置周期およびＳＲＳ配置位置を通知し、また、ユーザ専用シグナリングを介してある具体的なユーザにＳＲＳ配置周期およびＳＲＳ配置位置を通知し、ユーザが当該ユーザ専用シグナリングに基づいてＳＲＳを送信するようにしてもよい。
【００７０】
本発明の実施例３においては基地局に位置するアップリンクサウンディング参照信号の配置装置を提供し、そのモジュール構成は図３に示すように、
セルの使用可能なＳＲＳ配置周期を決定するセルＳＲＳ周期配置モジュール３０１と、
前記セルＳＲＳ周期配置モジュール３０１で決定されたＳＲＳ配置周期のうえで、サブフレームにおけるセルの使用可能なＳＲＳ配置位置を決定するセルＳＲＳ位置配置モジュール３０２と、
前記セルＳＲＳ周期配置モジュール３０１で決定されたＳＲＳ配置周期と前記セルＳＲＳ位置配置モジュール３０２で決定されたＳＲＳ配置位置とを統合符号化する統合符号化モジュール３０３と、
前記統合符号化モジュール３０３の統合符号化結果を放送シグナリングを介して送信する放送シグナリング送信モジュール３０４と、を含む。
【００７１】
好ましくは、前記統合符号化モジュールは、
配置番号と、ＳＲＳの配置周期と、ＳＲＳ配置位置との対応関係表を保存する配置表ユニットと、
前記決定されたＳＲＳ配置周期およびＳＲＳ配置位置に基づいて、前記対応関係表を検索して相応の配置番号を得る検索ユニットと、をさらに含むことができる。
【００７２】
本発明の実施例４においては基地局に位置する別のアップリンクサウンディング参照信号の配置装置を提供し、そのモジュール構成は図４に示すように、
セル内の特定のユーザのＳＲＳ送信周期を決定するユーザＳＲＳ周期配置モジュール４０１と、
前記ユーザＳＲＳ周期配置モジュール４０１で決定されたＳＲＳ送信周期のうえで、ユーザのＳＲＳ送信の配置位置を決定するユーザＳＲＳ位置配置モジュール４０２と、
前記ユーザＳＲＳ周期配置モジュール４０１で決定されたユーザのＳＲＳ送信周期と前記ユーザＳＲＳ位置配置モジュール４０２で決定されたユーザのＳＲＳ送信位置とを統合符号化する統合符号化モジュール４０３と、
前記統合符号化モジュール４０３の統合符号化結果をユーザ専用シグナリングを介して前記ユーザに送信するユーザ専用シグナリング送信モジュール４０４と、を含む。
【００７３】
前記装置がＴＤＤシステムで応用される場合、ユーザＳＲＳ位置配置モジュール４０２は、
アップリンクパイロットタイムスロット（ＵｐＰＴＳ）においてＳＲＳを送信する具体的な配置方式を設定する保護タイムスロット配置ユニットをさらに含むことができる。
【００７４】
この場合、前記統合符号化モジュール４０３は、前記ユーザのＳＲＳ送信周期と位置とを統合符号化し、ここで、表示フォーマットを用いて当該ユーザがアップリンクパイロットタイムスロット（ＵｐＰＴＳ）においてＳＲＳを送信する配置方式を指示し、
または、統合符号化モジュール４０３は、前記ユーザのＳＲＳ送信周期と、位置と、当該ユーザがＵｐＰＴＳにおいてＳＲＳを送信する具体的な配置方式との三者を統合符号化する。
【００７５】
本発明の実施例５においては基地局に位置するアップリンクサウンディング参照信号の配置装置を提供し、そのモジュール構成は図５に示すように、
セルの使用可能なＳＲＳ配置周期、およびセル内の特定のユーザのＳＲＳ送信周期を決定するＳＲＳ周期配置モジュール５０１と、
前記ＳＲＳ周期配置モジュール５０１で決定されたＳＲＳ配置周期のうえで、サブフレームにおけるセルの使用可能なＳＲＳ配置位置を決定し、そして、前記ＳＲＳ周期配置モジュール５０２で決定されたユーザのＳＲＳ送信周期の上で、ユーザのＳＲＳ送信の配置位置を決定するＳＲＳ位置配置モジュール５０２と、
前記ＳＲＳ周期配置モジュール５０１で決定されたセルのＳＲＳ配置周期と前記ＳＲＳ位置配置モジュール５０２で決定されたセルのＳＲＳ配置位置とを統合符号化し、そして、前記ＳＲＳ周期配置モジュール５０１で決定されたユーザのＳＲＳ送信周期と前記ＳＲＳ位置配置モジュール５０２で決定されたユーザのＳＲＳ送信位置とを統合符号化する統合符号化モジュール５０３と、
前記統合符号化モジュール５０３のセルのＳＲＳ配置周期とセルのＳＲＳ配置位置との統合符号化結果を放送シグナリングを介して送信し、そして、前記統合符号化モジュール５０３のユーザのＳＲＳ送信周期とユーザのＳＲＳ送信の配置位置との統合符号化結果をユーザ専用シグナリングを介して前記ユーザに送信するシグナリング送信モジュール５０４と、を含む。
【００７６】
本発明の実施例においては、ＬＴＥシステムにおいてＳＲＳ伝送を配置する方法を提供しており、ＦＤＤシステムおよびＴＤＤシステムのそれぞれに対して解決方案を提供している。上記の実施例によって、ＦＤＤシステムおよびＴＤＤシステムはＳＲＳの伝送配置を正常かつ効果的に行うことができ、ＳＲＳとアップリンク制御情報との衝突問題も解決することができる。さらに、本発明の解決方案によれば、各ユーザの異なるＳＲＳ周期および送信位置のニーズを柔軟に支持することができ、隣接セル間の干渉を減少することもでき、ＵｐＰＴＳにおいてＴＤＤがＳＲＳを送信する複数の配置の柔軟性を柔軟に支持することができ、シグナリング指示オーバーヘッドを最大限に節約することができる。そして、ＦＤＤシステムおよびＴＤＤシステムに対して、具体的な細部は少し異なっているが、解決方案の基本的な実現枠組みが一致しているため、ＦＤＤとＴＤＤ設計の一致性を満たすことができる。
【００７７】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００７８】
１０１〜１０４，２０１〜２０４…ステップ、３０１…セルＳＲＳ周期配置モジュール、３０２…セルＳＲＳ位置配置モジュール、３０３…統合符号化モジュール、３０４…放送シグナリング送信モジュール、４０１…ユーザＳＲＳ周期配置モジュール、４０２…ユーザＳＲＳ位置配置モジュール、４０３…統合符号化モジュール、４０４…ユーザ専用シグナリング送信モジュール、５０１…ＳＲＳ周期配置モジュール、５０２…ＳＲＳ位置配置モジュール、５０３…統合符号化モジュール、５０４…シグナリング送信モジュール。
【図１】
2011520343.tif 000011
【図２】
2011520343.tif 000012
【図３】
2011520343.tif 000013
【図４】
2011520343.tif 000014
【図５】
2011520343.tif 000015
【国際調査報告】
2011520343.tif 000016
2011520343.tif 000017
2011520343.tif 000018
2011520343.tif 000019
2011520343.tif 000020
2011520343.tif 000021
2011520343.tif 000022